(57)【特許請求の範囲】
【請求項１】
変形可能な単層又は複層構成のシート材によって構成され、一端に開口と、該開口に向かって先細りとなる先細り形状とを備えた袋部分と、
前記開口に接着又は溶着によって固定され、前記袋部分内に収納されるトナーが通過するトナー排出孔を備えた口金部材と、
該口金部材に支持され、前記トナー排出孔を開閉するシャッター手段とを有するトナー収納容器であって、
画像形成装置本体に、前記先細り形状が鉛直下方に向かって先細りとなる姿勢で脱着可能にセットされ、
該セットの状態では前記画像形成装置本体が有する粉体ポンプと前記トナー排出孔とが連通され、
前記粉体ポンプの吸引によって前記袋部分内から前記先細り形状及び前記トナー排出孔を介して現像装置へのトナーの補給が可能となるトナー収納容器において、
前記シャッター手段は、
前記トナー排出孔の軸線方向に移動可能なピストン部材と、
袋部分の内側から外側に向かって該ピストン部材を常時付勢する弾性部材と、
前記ピストン部材及び前記弾性部材を支持し、前記口金部材から前記袋部分の内部に延びる梁部材とを有し、
かつ、前記口金部材から袋部分内の前記先細り部分に対応する空間に配置されてあり、
前記シャッター手段の近傍となる前記袋部材の外側側面には、互いに対向して前記袋部分よりも剛性のある板材が接着されてあり、
前記袋部分の側面が互いに近づいて前記袋部分内部の開口を小さくするのを抑制するように、前記板材は互いの頂部を外に向けるにようにして、横方向に延在して山折りに曲げられてある
ことを特徴とするトナー収納容器。
【請求項２】
前記板材の各角部に丸みが付けられていることを特徴とする請求項１に記載のトナー収納容器。
【請求項３】
変形可能な単層又は複層構成のシート材によって構成され、一端に開口と、該開口に向かって先細りとなる先細り形状とを備えた袋部分と、
前記開口に接着又は溶着によって固定され、前記袋部分内に収納されるトナーが通過するトナー排出孔を備えた口金部材と、
該口金部材に支持され、前記トナー排出孔を開閉するシャッター手段と、
前記袋部分の前記トナー排出孔を除いた全周を覆う剛性を有する外箱体と
を有するトナー収納容器であって、
画像形成装置本体に、前記先細り形状が鉛直下方に向かって先細りとなる姿勢で脱着可能にセットされ、
該セットの状態では前記画像形成装置本体が有する粉体ポンプと前記トナー排出孔とが連通され、
前記粉体ポンプの吸引によって前記袋部分内から前記先細り形状及び前記トナー排出孔を介して現像装置へのトナーの補給が可能となるトナー収納容器において、
前記シャッター手段は、
前記トナー排出孔の軸線方向に移動可能なピストン部材と、
袋部分の内側から外側に向かって該ピストン部材を常時付勢する弾性部材と、
前記ピストン部材及び前記弾性部材を支持し、前記口金部材から前記袋部分の内部に延びる梁部材とを有し、
かつ、前記口金部材から袋部分内の前記先細り部分に対応する空間に配置されてあり、
前記袋部分の側面が互いに近づいて前記袋部分内部の開口を小さくするのを抑制するように、前記シャッター手段の近傍となる前記袋部材の外側側面と、該側面に対向する前記外箱体の壁面とのうち一方に磁石、他方に磁性体を設けてある
ことを特徴とするトナー収納容器
【請求項４】
請求項１ないし３の何れか一項に記載のトナー収納容器を画像形成装置本体のセット部にセットし、該トナー収納容器に収納されたトナーを吸引型の粉体ポンプの吸引力によって現像装置へ補給することを特徴とする画像形成装置。
【発明の詳細な説明】
【０００１】
【発明の属する技術分野】
本発明は、変形可能に構成されているとともに、通路に向かって先細形状に形成された補給用のトナーを収納する容器であって、前記通路を下側にむけて画像形成装置本体に脱着可能にセットされるトナー収納容器および電子写真方式の複写機、プリンタ、ファクシミリ等の画像形成装置に関するものである。
【０００２】
【従来の技術】
上記形式の画像形成装置において、一般にトナー収納容器を交換する作業はユーザーによって行われるが、かかる作業はトナー飛散を伴うことがあり、ユーザーにとって敬遠されていた。このため、従来からトナー収納容器の着脱を簡単な作業で、しかもトナー飛散が生じないように工夫した方式が種々提案されている。
【０００３】
しかし、従来行われているトナー収納容器の交換は、容器の移動により自動的に栓を開閉するものなど、ユーザーの使い勝手が良いものが出現しているが、その構造が複雑で高価になってしまう問題を生じていた。
【０００４】
そこで、本願出願人は、このような問題を軽減できる画像形成装置やトナー収納容器を提案している。この提案している装置では、トナー収納容器を上方から落とし込むようにセットするだけで自動的に通路であるトナー排出部が開き、そしてトナー収納容器を取り出すだけでトナー排出部を閉じることができるものである。しかも、画像形成装置のセット部にはノズルを設け、トナー収納容器にはそのノズルの挿脱で開閉する自閉弁を設けるという簡単な構成である。このトナー収納容器の自閉弁としては、非通気性材料で作られた圧縮発泡スポンジ製シールにノズルが挿脱される十字状のスリットを形成したものを用いており、スポンジシールはその十字状スリットの中心にノズルが挿入されると変形してこれを可能とし、ノズルが抜けるとスポンジの復元力によりスリットが閉じトナーのこぼれ等を防止している。
【０００５】
【発明が解決しようとする課題】
しかしながら、上記スポンジシールは低温時の硬化や経時使用によるクリープ変形等により復元力が低下することがあり、そして復元力が低下すると、トナー収納容器を取り出したときのトナー漏れを発生させることがあった。
【０００６】
さらに、スポンジシールはトナー収納容器の着脱時にノズルによって一部が千切られたり、削られたりすることがあり、この千切られたスポンジ小片が現像装置に送られると、画像品質に悪影響を与える等の不具合を発生させた。
【０００７】
このため、本願出願人はスプリングによって閉じる機械的なシャッターをトナー容器に装着することを既に提案した。ところが、かかる機械的シャッターを設けると、該シャッターによってトナー収納容器内のトナー排出部である通路に導く部分の実質上の開口面積が狭くなり、このためトナー架橋発生の原因になることがあった。特に、トナー袋がフレキシブルであるので、多少折れや傾きが生ずることがあり、折れや傾きによってトナー架橋の発生率が大幅に高くなってしまった。
【０００８】
本発明は、上記した事情に鑑み、トナー漏れ等を防止する機械的シャッターを設けても、トナー架橋等による多量の残トナーが生じにくいトナー収納容器および画像形成装置を提供することを目的としている。
【０００９】
【課題を解決するための手段】
上記の目的を達成するため、本発明は、変形可能な単層又は複層構成のシート材によって構成され、一端に開口と、該開口に向かって先細りとなる先細り形状とを備えた袋部分と、前記開口に接着又は溶着によって固定され、前記袋部分内に収納されるトナーが通過するトナー排出孔を備えた口金部材と、該口金部材に支持され、前記トナー排出孔を開閉するシャッター手段とを有するトナー収納容器であって、画像形成装置本体に、前記先細り形状が鉛直下方に向かって先細りとなる姿勢で脱着可能にセットされ、該セットの状態では前記画像形成装置本体が有する粉体ポンプと前記トナー排出孔とが連通され、前記粉体ポンプの吸引によって前記袋部分内から前記先細り形状及び前記トナー排出孔を介して現像装置へのトナーの補給が可能となるトナー収納容器において、前記シャッター手段は、前記トナー排出孔の軸線方向に移動可能なピストン部材と、袋部分の内側から外側に向かって該ピストン部材を常時付勢する弾性部材と、前記ピストン部材及び前記弾性部材を支持し、前記口金部材から前記袋部分の内部に延びる梁部材とを有し、かつ、前記口金部材から袋部分内の前記先細り部分に対応する空間に配置されてあり、前記シャッター手段の近傍となる前記袋部材の外側側面には、互いに対向して前記袋部分よりも剛性のある板材が接着されてあり、前記袋部分の側面が互いに近づいて前記袋部分内部の開口を小さくするのを抑制するように、前記板材は互いの頂部を外に向けるにようにして、横方向に延在して山折りに曲げられてあることを特徴とするトナー収納容器を提案する。
【００１０】
なお、本発明のトナー収納容器において、前記板材の各角部に丸みが付けられていると、効果的である。
【００１１】
また、上記の目的を達成するため、本発明は、変形可能な単層又は複層構成のシート材によって構成され、一端に開口と、該開口に向かって先細りとなる先細り形状とを備えた袋部分と、前記開口に接着又は溶着によって固定され、前記袋部分内に収納されるトナーが通過するトナー排出孔を備えた口金部材と、該口金部材に支持され、前記トナー排出孔を開閉するシャッター手段と、前記袋部分の前記トナー排出孔を除いた全周を覆う剛性を有する外箱体とを有するトナー収納容器であって、画像形成装置本体に、前記先細り形状が鉛直下方に向かって先細りとなる姿勢で脱着可能にセットされ、該セットの状態では前記画像形成装置本体が有する粉体ポンプと前記トナー排出孔とが連通され、前記粉体ポンプの吸引によって前記袋部分内から前記先細り形状及び前記トナー排出孔を介して現像装置へのトナーの補給が可能となるトナー収納容器において、前記シャッター手段は、前記トナー排出孔の軸線方向に移動可能なピストン部材と、袋部分の内側から外側に向かって該ピストン部材を常時付勢する弾性部材と、前記ピストン部材及び前記弾性部材を支持し、前記口金部材から前記袋部分の内部に延びる梁部材とを有し、かつ、前記口金部材から袋部分内の前記先細り部分に対応する空間に配置されてあり、前記袋部分の側面が互いに近づいて前記袋部分内部の開口を小さくするのを抑制するように、前記シャッター手段の近傍となる前記袋部材の外側側面と、該側面に対向する前記外箱体の壁面とのうち一方に磁石、他方に磁性体を設けてあることを特徴とするトナー収納容器を提案する。
【００１４】
また、上記の目的を達成するために、本発明は、請求項１ないし３の何れか一項に記載のトナー収納容器を画像形成装置本体のセット部にセットし、該トナー収納容器に収納されたトナーを吸引型の粉体ポンプの吸引力によって現像装置へ補給することを特徴とする画像形成装置を提案する。
【００１５】
【発明の実施の形態】
以下、本発明の実施の形態を添付図面に従って説明する。
図１は、本発明に係るトナー収納容器を用いる画像形成装置の一例であるカラーレーザプリンタを示す概略図である。このカラーレーザプリンタは、装置本体１の下部に給紙部２が配置され、その上方に作像部３を配置した構成となっている。作像部３には、給紙された用紙を受け取る側を下で、画像形成を終えた用紙の排紙側を上となるように傾斜して配置された転写ベルト装置が設けられている。転写ベルト装置は、複数のベルト車１１、本例では４のベルト車１１に巻き掛けられたエンドレスの転写ベルト１２を有し、該転写ベルト１２の上部走行辺には、下から順にマゼンタ（Ｍ）、シアン（Ｃ）、イエロー（Ｙ）、黒（Ｂｋ）用の４つの作像ユニット４Ｍ，４Ｃ，４Ｙ，４Ｂｋが並列配置されている。
【００１６】
各作像ユニット４Ｍ，４Ｃ，４Ｙ，４Ｂｋは、像担持体としての感光体ドラム５が設けられ、該感光体ドラム５は図示していない駆動手段によって時計方向へ回転駆動される。感光体ドラム５の回りには、帯電手段としての帯電ロール６、光書込み装置８によってレーザ光による書込みが行われる光書込み部、現像手段として現像装置１０、クリーニング手段としてクリーニング装置９が設けられている。現像装置１０は、トナーとキャリアからなる２成分現像装置であって、消費されたトナー量に応じた後述するトナー補給装置によりトナーが補給される。
【００１７】
次に、図１に示すカラープリンタのフルカラープリントを行う作像動作についてマゼンタ用の作像ユニット４Ｍにより説明する。
帯電ロール６によって帯電された感光体ドラム５には、図示していないＬＤ（レーザダイオード）を駆動してレーザ光をポリゴンミラー８ａに照射し、シリンダーレンズ等を介して反射光を感光体ドラム５上に導く光書込み装置８により、マゼンタトナーで現像する光像の光書込みが行われる。この書込みにより感光体ドラム５上にはパソコン等のホストマシーンより送られた画像データに基づいた静電潜像が形成され、該潜像は現像装置１０によってマゼンタトナーの可視像となる。
【００１８】
一方、給紙部２からは転写材として指定された用紙が給紙され、給紙された用紙は転写ベルト１２の搬送方向上流側に設けられたレジストローラ１３に一旦突き当てられる。そして、用紙は上記可視像に同期するようにして転写ベルト１２上に給送され、該ベルトの走行により感光体ドラム５に対向する転写位置に到る。この転写位置では、転写ベルト１２の裏面側に配置された転写ロール１４の作用によりマゼンタトナーの可視像が用紙に転写される。
【００１９】
上記作像動作に同様にして、他の作像ユニット４Ｃ，４Ｙ，４Ｂｋにおいてもそれぞれの感光体ドラム５の表面に各トナーによる可視像が形成され、これら可視像は転写ベルト１２によって搬送される用紙が各転写位置に到来するごとに重ね転写される。したがって、本カラープリンタはフルカラーの画像がモノクロとほぼ同様な短時間で用紙に重ね転写される。転写後の用紙は、転写ベルト２０から分離されて、定着装置１５により定着される。定着を終えた用紙は、通常、そのまま機外に排紙されるか、このとき用紙は反転されて装置本体１の上面に設けられた排紙トレイ１６に裏面排紙される。プリンタにとって裏面排紙は、プリントをページ順に並べるためのほぼ必須の条件となっている。
【００２０】
次に、上記プリンタに設けられているトナー補給装置について説明する。
図２は、本発明に係るトナー収納容器を用いたトナー補給装置の断面説明図、図３は図２のトナー収納容器部分の拡大断面図である。
【００２１】
図２および図３において、現像装置１０には、トナー収納容器２０からトナー吸引手段としての粉体ポンプ４０の吸引圧によってトナーが移送チューブ１７を通って補給される。この現像装置１０には、その上部に粉体ポンプ４０が設けられており、該紛体ポンプ４０としては吸い込み型の一軸偏芯紛体ポンプ４０が用いられている。この紛体ポンプ４０の構成は、金属などの剛性をもつ材料で偏芯したスクリュー形状に作られたロータ４１と、ゴム等の弾性体で内側に２条スクリュー形状に作られ固定されて設置されるステータ４２と、これらを包みかつ粉体の搬送路を形成する樹脂材料等から作られたホルダ４３とを有している。上記ロータ４１は、ピン継ぎ手により連結された駆動軸４１ａに固定された歯車４４が現像装置１０の駆動歯車（図示せず）と噛み合っているとともに、歯車４４には駆動歯車による回転駆動を断続する断続手段としての電磁クラッチ４５を介在させている。
【００２２】
このように構成されたトナー補給装置は、粉体ポンプ４０である１軸偏芯スクリューポンプが、高い固気比で連続定量移送が可能であって、ロータ４１の回転数に比例した正確なトナーの移送量が得られることが知られている。そこで、画像濃度検知等によりトナー補給指令が発せられると、粉体ポンプ４０が作動し、要求された量のトナーが現像装置１０に補給される。
【００２３】
一方、トナー収納容器２０がセットされる画像形成装置本体１に設けられたセット部５０は、現像装置１０と別体のユニットとして構成されている。このセット部５０には、トナー収納容器２０内に挿入される断面が円形のノズル５１が立設され、トナー収納容器２０は上方から画像形成装置本体１のセット部５０へセットされる。セット部５０に設けられたノズル５１は、単管構造になっており、上部に断面が錐状または球状に形成された尖端部材５２が一体成形または固着等により設けられ、この尖端部材５２に続いてエアー供給路とトナー補給路とを兼ねる管路５３が設けられている。管路５３は、ノズル５１の最下端において図の左方へ曲げられてその先端にトナー移送チューブ１７が接続されたトナー用接続口５４が設けられている。また、管路５３にはトナー用接続口５４よりも上方で同じく図の左方へ曲げられたエアー接続口５５が設けられている。なお、符号５６はノズル５１の尖端部５２の両側に設けられたトナー受け入れとエアーの排出を兼ねた開口である。
【００２４】
エアー接続口５５は、本実施形態の場合、エアー供給装置におけるエアー供給源としてのエアーポンプ４６にエアー移送パイプ４７を介して接続されている。このエアーポンプ４６が作動すると、該ポンプからエアー移送パイプ４７および管路５３を介してトナー収納容器２０内に対し下部側よりエアーが噴出される。そして、トナー収納容器２０内に噴出されたエアーは、収納されたトナーの層を通過することによりトナーを攪拌しながら流動化させる。
【００２５】
本実施形態におけるトナー収納容器２０は、保護ケースとしての外箱２１と、その外箱２１内に着脱可能に収容されたフレキシブルで変形可能な容器本体としてのトナー袋２２とを有するバックインボックスタイプに構成されている。この外箱２１は、剛性を有する紙、段ボール、樹脂等の材料から作られ、トナー袋２２が収まる程度の内部空間を有している。トナー収納容器２０は、トナーを収納したトナー袋２２がフレキブルであっても、外箱２１内に収めることでトナー袋２２が外部からの衝撃等に対する保護となるだけでなく、ハンドリング性が向上するため容器の取り扱いが行い易く、保管時の整理等も行い易いという利点が得られる。
【００２６】
また、トナー袋２２の袋部分はポリエステルフィルム、ポリエチレンフィルム等のフレキシブルなシート材（８０〜１２５μｍ程度の厚み）を単層または複層構成にして袋状容器形状のものである。また、トナー袋２２の形状はほぼ直方体で、その４側面の下縁から先端に向かう程先細りに形成されている。そして、トナー袋２２の先細りとなった下部中央には外口金部材２３と内口金部材２４とから構成され、ポリエチレンやナイロン等に樹脂から作られた口金部材が設けられている。
【００２７】
外口金部材２３および内口金部材２４は、接着により互いに固定されて１つの部材をなしており、外口金部材２３および内口金部材２４にはそれぞれ中央に上方へ延びるスリーブ部２５，２６が設けられている。スリーブ部２５，２６は、二重管のように、スリーブ部２５内にスリーブ部２６があり、外口金部材２３のスリーブ部２４には上記トナー袋２２が接着または融着等により固定されている。また、内口金部材２４のスリーブ部２６には通路としてのトナー排出孔２７が形成され、このトナー排出孔２７には自閉弁の役割を持つシャッター手段３０が設けられている。なお、口金部材は予め外口金部材２３と内口金部材２４とが一体な１つの部材で構成することもできるが、この場合、口金部材にシャッター手段３０が設けられているので、トナー排出孔２７からのトナー充填が行いにくくなる。これに対し、上記実施形態では内口金部材２４を外口金部材２３に接着する前にトナーを充填し、その後シャッター手段３０を支持する内口金部材２４を固定するようにすれば、シャッター手段３０に邪魔されない良好なトナー充填が期待できる。
【００２８】
シャッター手段３０は、トナー排出孔２７の軸線方向に移動可能なピストン部材３１を有し、ピストン部材３１には上方へ延びるピストンロッド３２が一体に設けられている。ピストンロッド３２の先端には、ストッパ爪３３が設けられ、ストッパ爪３３は内口金部材２４のスリーブ部２６から上方に延びる梁部材２８の先端に設けられたリング部２９に係止されている。なお、このストッパ爪３３とリング部２９とによって、本実施形態のストッパ手段を構成している。また、シャッター手段３０には、端部がそれぞれピストン部材３１とリング部２９に圧接する弾性手段としての圧縮コイルスプリング３４がピストンロッド３２を巻くようにして設けられている。この圧縮コイルスプリング３４の弾性力によりピストン部材３１には、下方への押圧力が常時付勢されている。このため、図３におけるピストン部材３１は、ノズル５１に圧接されるが、図４に示すようにノズル５１が抜けた状態ではストッパ爪３３がリング部２９に係止された位置で保持される。
【００２９】
ピストン部材３１は、図３に示すノズル５１によって圧縮コイルスプリング３４の弾性力に抗して押し上げられトナー排出孔２７を開く開位置と、図４に示すトナー排出孔２７を閉じる閉位置との間で移動可能であり、図４の閉位置においてはトナー排出孔２７に設けられたシール部材３５にその周面が摺接される。シール部材３５は、筒状に形成された発泡スポンジ等の弾性体シールであり、その中心に貫通孔３６が形成されている。
【００３０】
このように構成されたトナー収納容器２０は、トナー排出孔２７を圧縮コイルスプリング３４の弾性力により閉じるシャッター手段３０を設けたので、低温等の環境に影響されることなく、トナー収納容器２０が取り出されてノズル５１が抜けたときには確実にトナー排出孔２７を閉じる。このとき、ピストン部材３１はシール部材３５に摺接するが、シール部材３５には貫通孔３６が形成されているので、シール部材３５をスポンジで構成してもその一部が千切れたりすることが防止される。
【００３１】
ところで、上記シャッター手段３０を設けると、その分トナー袋２２の開口面積が小さくなり、トナーが停滞しやすくなる。かかる現象は、トナー袋２２がトナー排出孔２７に向かって先細り形状であって、しかもシャッターもその先細り部分に位置するため、起こり易い状態になっている。さらに、トナー袋２２はフレキシブルであるので、図９に示すように、トナーの重みや外部からの衝撃等でその先細り部分で折れたり曲がったりし、トナー袋２２の側面が互いに近づくことが起こり易い。このようなトナー袋２２の側面が互いに近づくと、図１０に示すように、トナーをノズル５１へ導く部分の開口面積が小さくなり、当該部でトナーが極端に停滞しやすくなってしまう。
【００３２】
そこで、本実施形態では図５に示すように、トナー収納容器２０のトナー袋２２にトナーの停滞を防止する手段として、折り曲げ部材６０を設けている。この折り曲げ部材６０は、図６（ａ），（ｂ）に示すように、マイラー（商品名）等の弾性のあるプラスチック等からなり、トナー袋２２よりも剛性のある長板状の薄板材であって、その長手方向の中央が頂部６１となる山折り状に形成されている。折り曲げ部材６０は、直方体の面積の大きい側面側において、互いに頂部６１を外に向けるようにして横方向に延在するように接着されている。また、折り曲げ部材６０を貼着する位置は、シャッター手段３０のリング部２９の近傍かそれよりもやや上方がもっとも好ましく、あまり上過ぎたり、下方のテーパー面であると、効果が半減してしまう。さらに、折り曲げ部材６０の各角部６０ａは丸みが付けられ、角によってトナー袋２２が穴あくことが防止するように構成されている。
【００３３】
このように構成されたトナー収納容器２０は、フレキブルなトナー袋２２が折り曲げ部材６０によって外に膨らむような形状が拘束され、図３に示すように、シャッター手段３０の近傍でのトナーがノズル５１に向かう部分の開口面積を十分に確保することができるので、当該部でのトナー停滞を防止することができる。また、シャッター手段３０近傍での折れや曲がりも防止でき、トナーを導く領域が極度に狭くなることにより発生しやすいトナー架橋も防止することができる。なお、折り曲げ部材６０にはトナー袋２２より剛性があるものを用いることができるが、弾性体であればトナー袋２２への貼着作業が容易になり有利である。
【００３４】
図７は、本発明の他の実施形態を示す説明図であって、本例ではトナー袋２２自体に折り癖６２が付けられている。この折り癖６２が付けられている位置は上記実施形態の折り曲げ部材６０の頂部６１とほぼ同位置で、シャッター手段３０の近傍のやや上方である。
【００３５】
このように構成されたトナー収納容器２０は、折り曲げ部材６０を用いることなく、トナーをノズル５１へ導く領域でのトナー停滞を軽減することができる。
【００３６】
図８は、本発明の他の実施形態を示す説明斜視図であって、本例ではトナー袋２２のシャッター手段３０近傍のやや上方に磁石６３が貼着され、外箱２１にはこの磁石６３が吸着する磁性体としての金属板６４が取り付けられている。
【００３７】
このように構成したトナー収納容器２０は、トナー袋２２を外箱２１に挿着すれば、磁石６３と金属板６４が近接して向かい合うので、磁力によりトナー袋２２のトナーを導く部分を広げられ、上記したトナー停滞を防止することができる。なお、トナー袋２２に磁性体、外箱２１に磁石を設けても同様の効果が得られ、さらに、トナー袋２２及び外箱２１とも吸引する方向の磁石を取り付けても良い。
【００３８】
【発明の効果】
本発明によれば、トナー収納容器の通路を低温等の使用環境に左右されないシャッター手段を設けてもトナー停滞を簡単な構成で確実に軽減することができる。
【図面の簡単な説明】
【図１】本発明に係るトナー収納容器を用いた画像形成装置の全体概略図である。
【図２】その画像形成装置のトナー補給機構を示す断面説明図である。
【図３】図２に示すトナー補給機構のセット部の拡大断面図である。
【図４】図３のセット部におけるトナー収納容器の取り出した状態を示す断面図である。
【図５】折り曲げ部材を貼着したトナー収納容器の斜め下方から見た外観斜視図である。
【図６】（ａ），（ｂ）は折り曲げ部材の正面図および平面図である。
【図７】本発明の他の実施形態を示すトナー収納容器の斜め下方から見た外観斜視図である。
【図８】本発明のさらに他の実施形態を示すトナー収納容器の斜め下方から見た外観斜視図である。
【図９】シャッター手段を設けたトナー収納容器の斜め下方から見た外観斜視図である。
【図１０】トナー停滞が生じやすい状態のトナー収納容器を示す断面図である。
【符号の説明】
１  画像形成装置本体
１０  現像装置
２０  トナー収納容器
２２  トナー袋
２３，２４  口金部材
２７  トナー排出孔
３０  シャッター手段
６０  折り曲げ部材
６２  折り癖
６３  磁石
６４  金属板
【図１】
0003926569.tif 000002
【図２】
0003926569.tif 000003
【図３】
0003926569.tif 000004
【図４】
0003926569.tif 000005
【図５】
0003926569.tif 000006
【図６】
0003926569.tif 000007
【図７】
0003926569.tif 000008
【図８】
0003926569.tif 000009
【図９】
0003926569.tif 000010
【図１０】
0003926569.tif 000011